(57)【要約】【課題】強電界環境下においても、受信感度を落としすぎず、適切な受信感度で放送波を受信するアンテナ受信制御装置を提供する。【解決手段】アンテナ受信制御装置１００は、高周波アンプ部５に入力されている信号レベルが、高周波アンプ部５の入力ダイナミックレンジを超えている場合、受信感度設定処理を実行し、複数のスイッチ状態を遷移させることにより、受信状態を段階的に変化させることができる。そして、アンテナ受信制御装置１００は、段階的に変化させた各受信状態での受信信号のレベルを検出することで、最適な受信状態を決定し、決定した最適な受信状態（閾値以下かつ最大の受信感度となる受信状態）により、放送波を受信する。その結果、アンテナ受信制御装置１００は、常に、最良な受信感度により放送波を受信することができる。【選択図】図１
2011101092.tif 000002
【特許請求の範囲】
【請求項１】
放送波を受信する受信アンテナと、
前記受信アンテナに接続され、複数のコイルを含むコイル群であって、前記放送波の所定の受信周波数帯域において、前記複数のコイルのそれぞれが、前記受信アンテナに単独で接続された場合、受信感度が最大となる周波数が、それぞれ異なる前記複数のコイルを含むコイル群と、
前記コイル群の前記複数のコイルのそれぞれに接続される複数のスイッチ素子を含むスイッチ素子群であって、前記複数のコイルのそれぞれを、独立して前記受信アンテナに接続するようにスイッチング制御を行う前記複数のスイッチ素子を含むスイッチ素子群と、
前記受信アンテナ、前記コイル群および前記スイッチ素子群により受信した放送波に基づく信号に対して、増幅処理を行う高周波アンプ部と、
前記高周波アンプ部に入力される信号レベルを検出し、前記高周波アンプ部に入力される信号レベルが、前記高周波アンプ部の入力ダイナミックレンジの範囲外である場合、トリガー信号を出力するレベル検出部と、
前記スイッチ素子群の前記複数のスイッチ素子のそれぞれに対して、独立してスイッチング制御を行う制御部と、
を備え、
前記制御部は、前記レベル検出部からトリガー信号が出力された場合、前記スイッチ素子群の前記複数のスイッチ素子のそれぞれに対して、スイッチング制御を行うことで、前記複数のコイルの前記受信アンテナに対する接続関係を変更し、変更した状態における前記レベル検出部から出力される信号レベルを検出し、さらに、変更した状態のうち、前記高周波アンプ部の入力ダイナミックレンジの範囲内であり、かつ、最大の受信感度となる状態を最大感度受信状態として検出し、前記最大受信感度状態となるように、前記スイッチ素子群の前記複数のスイッチ素子のそれぞれに対して、スイッチング制御を行う、
アンテナ受信制御装置。
【発明の詳細な説明】
【技術分野】
【０００１】
本発明は、放送波の受信に於いて、最適な受信感度が得られるように放送波を受信するアンテナ受信制御装置（アンテナ回路）に関する。
【背景技術】
【０００２】
従来、放送波の受信周波数に応じてローディングコイルをスイッチング回路で切り替えて、放送波の受信感度を最良な受信感度とする回路（アンテナ回路）が知られており、このようなアンテナ回路を搭載したアンテナ受信制御装置やテレビジョン装置がすでに商品化されている。
また、強電界にて放送波の受信レベルがチューナ回路や高周波ＡＭＰ（高周波増幅回路）の入力ダイナミックレンジの限度を超えて入力されたとき、当該チューナ回路や高周波ＡＭＰにより処理された信号をテレビジョン装置等の映像表示装置に表示させると、画像が乱れたり、音が歪んだりする。このため、高周波ＡＭＰのゲインを落としたり、アンテナからの入力レベルをコンデンサ等で落としたりして、受信レベルがチューナ回路や高周波ＡＭＰの入力限度を超えないようにする回路（例えば、図４（ａ）、（ｂ）に示す回路）も実現されている（例えば、特許文献１参照）。そして、このような回路を搭載したアンテナ受信制御装置やテレビジョン装置がすでに商品化されている。
【先行技術文献】
【特許文献】
【０００３】
【特許文献１】特開昭５４−８４４１１号公報
【発明の概要】
【発明が解決しようとする課題】
【０００４】
しかしながら、従来技術の回路（アンテナ回路）の受信状態は、受信感度が最良な状態、あるいは、感度を落として、受信感度を劣化させた状態のどちらかである。
上記のようなアンテナ回路（チューナ回路や高周波ＡＭＰ）を搭載したポータブル機器等を所定の電界強度下の環境に持ち運んで放送波を受信する場合、当該ポータブル機器等が置かれている環境下により受信状態が変化する。このため、例えば、強電界の環境下に当該ポータブル機器等を持ち込み、従来のアンテナ回路により受信感度を落とした状態となった後に、電界強度が異なる環境下に当該ポータブル機器等を移動させた場合、本来アンテナ回路の入力レベルを落とす必要がないのに、当該入力レベルを落としすぎて、受信に支障をきたすという問題点がある。つまり、従来のアンテナ回路では、電界強度の変化に応じて、適切に受信レベルを制御する（落とす）ことができないという問題点がある。
【０００５】
本発明は、上記問題点に鑑みなされたもので、放送波の受信周波数に応じてコイル（例えば、ローディングコイル）をスイッチング回路で切り替えて、最良な受信感度にすると共に、強電界の環境下に置かれた場合、ローディングコイルの接続状態をスイッチング回路で切り替えて、段階的に受信レベルを制御し（落とし）、常に、受信状態が最良となるアンテナ受信制御装置を提供することを目的とする。
【課題を解決するための手段】
【０００６】
第１の発明は、放送波を受信する受信アンテナと、コイル群と、スイッチ素子群と、高周波アンプ部と、レベル検出部と、制御部と、を備えるアンテナ受信制御装置である。
コイル群は、受信アンテナに接続され、複数のコイルを含む。コイル群の複数のコイルは、放送波の所定の受信周波数帯域において、複数のコイルのそれぞれが、受信アンテナに単独で接続された場合、受信感度が最大となる周波数が、それぞれ異なる。
スイッチ素子群は、コイル群の複数のコイルのそれぞれに接続される複数のスイッチ素子を含む。スイッチ素子群は、複数のコイルのそれぞれを、独立して受信アンテナに接続するようにスイッチング制御を行う。
高周波アンプ部は、受信アンテナ、コイル群およびスイッチ素子群により受信した放送波に基づく信号に対して、増幅処理を行う。
【０００７】
レベル検出部は、高周波アンプ部に入力される信号レベルを検出し、高周波アンプ部に入力される信号レベルが、高周波アンプ部の入力ダイナミックレンジの範囲外である場合、トリガー信号を出力する。
制御部は、スイッチ素子群の複数のスイッチ素子のそれぞれに対して、独立してスイッチング制御を行う。
そして、制御部は、レベル検出部からトリガー信号が出力された場合、スイッチ素子群の複数のスイッチ素子のそれぞれに対して、スイッチング制御を行うことで、複数のコイルの受信アンテナに対する接続関係を変更する。そして、制御部は、変更した状態におけるレベル検出部から出力される信号レベルを検出し、さらに、変更した状態のうち、高周波アンプ部の入力ダイナミックレンジの範囲内であり、かつ、最大の受信感度となる状態を最大感度受信状態として検出する。そして、制御部は、最大受信感度状態となるように、スイッチ素子群の複数のスイッチ素子のそれぞれに対して、スイッチング制御を行う。
【０００８】
このアンテナ受信制御装置では、制御部により、レベル検出部からトリガー信号が出力された場合、スイッチ素子群の複数のスイッチ素子のそれぞれに対して、スイッチング制御を行うことで、複数のコイルの受信アンテナに対する接続関係を変更し、最大受信感度状態となる受信状態を検出することができる。そして、このアンテナ受信制御装置では、最大受信感度状態となるようにスイッチ素子群の複数のスイッチ素子のそれぞれに対して、スイッチング制御を行うので、常に、最良な受信感度で放送波を受信することができる。また、例えば、アンテナ受信制御装置が強電界の環境下に置かれた場合、コイル群の接続状態をスイッチ群と制御部（例えば、スイッチング回路）で切り替えて、段階的に受信レベルを制御する（落とす）ことができるので、強電界の環境下であっても、常に、受信状態が最良となる状態で放送波を受信することができる。
【０００９】
なお、「受信感度が最大となる周波数」とは、アンテナ利得が最大となる周波数を含む概念である。
【発明の効果】
【００１０】
本発明によれば、放送波の受信周波数に応じてコイル（例えば、ローディングコイル）をスイッチング回路で切り替えて、最良な受信感度にすると共に、強電界の環境下に置かれた場合、ローディングコイルの接続状態をスイッチング回路で切り替えて、段階的に受信レベルを制御し（落とし）、常に、受信状態が最良となるアンテナ受信制御装置を実現することができる。
【図面の簡単な説明】
【００１１】
【図１】第１実施形態のアンテナ受信制御装置１００の概略構成図。
【図２】コイルＬ１〜Ｌ３の接続関係を変更させた場合の受信周波数−アンテナ利得特性を示すグラフ。
【図３】（ａ）スイッチ素子群３の各スイッチ素子Ｑ１〜Ｑ３のＯＮ／ＯＦＦ状態の状態遷移図の一例を示す図、（ｂ）は、受信感度設定処理の処理フローを示す図。
【図４】従来の（強電界対策）アンテナ回路の一例。
【発明を実施するための形態】
【００１２】
以下、本発明の実施形態について、図面を参照しながら説明する。
［第１実施形態］
＜１．１：アンテナ受信制御装置の構成＞
図１に、本実施形態のアンテナ受信制御装置１００の概略構成図を示す。
アンテナ受信制御装置１００は、図１に示すように、放送波を受信するアンテナ１と、コイル群２と、スイッチ素子群３と、バンドパスフィルタ部４と、高周波アンプ部５と、チューナ部６と、レベル検出部７と、制御部８と、を備える。
アンテナ１は、放送波を受信するためのアンテナであり、アンテナ１のエレメント長は、放送帯域の最大周波数で決定される。
コイル群２は、複数のコイル（例えば、ローディングコイル）から構成され、それぞれのコイルが、スイッチ素子群３を構成するスイッチ素子およびアンテナ１に接続されている。コイル群２は、例えば、図１に示すように、コイルＬ１、Ｌ２およびＬ３の３つのコイルから構成される。コイルＬ１〜Ｌ３は、並列に設置されており、それぞれ、一端がアンテナ１に、他端がスイッチング素子Ｑ１〜Ｑ３に接続されている。なお、コイル群２を構成するコイルの数は、「３」に限定されないのは、言うまでもない。コイルＬ１、Ｌ２およびＬ３のインダクタンスは、異なる値であることが好ましい。本実施形態では、コイルＬ１、Ｌ２およびＬ３のインダクタンスＬ１、Ｌ２およびＬ３は、
Ｌ１＜Ｌ２＜Ｌ３
の関係を満たす所定の値に設定されている。なお、Ｌ３の値は、放送帯域の最小周波数付近の電気長に合うＬ値を設定することが好ましい。
【００１３】
スイッチ素子群３は、複数のスイッチ素子（例えば、ＦＥＴ（電界効果トランジスタ）やバイポーラトランジスタを用いたスイッチ素子）から構成され、それぞれのスイッチ素子は、並列に設置されており、コイル群２を構成するコイル、バンドパスフィルタ部４の入力端、および制御部８に接続されている。スイッチ素子群３の各スイッチ素子は、それぞれ、独立に、制御部８によりＯＮ／ＯＦＦ制御がなされる。スイッチ素子群３は、例えば、図１に示すように、スイッチ素子Ｑ１、Ｑ２およびＱ３の３つのＦＥＴ（電界効果トランジスタ）を用いたスイッチ素子から構成される。そして、図１に示すように、スイッチ素子Ｑ１〜Ｑ３は、それぞれ、ソースがコイルＬ１〜Ｌ３に接続されており、ドレインがバンドパスフィルタ部４の入力端（図１のＡ点）に接続されている。また、スイッチ素子Ｑ１〜Ｑ３のゲートは、制御部８に接続されている。なお、スイッチ素子群３を構成するスイッチ素子の数は、「３」に限定されないのは、言うまでもない。
【００１４】
なお、以下では、説明便宜のため、コイル群２がコイルＬ１〜Ｌ３から構成されており、スイッチ素子群３がスイッチ素子Ｑ１〜Ｑ３から構成されている場合について、説明する。
バンドパスフィルタ部４は、放送波の信号帯域のみを通過させるバンドパスフィルタであり、スイッチ素子群３の出力を入力とし、入力された信号に対して、バンドパスフィルタ処理を行う。バンドパスフィルタ部４は、バンドパスフィルタ処理を行った信号を、高周波アンプ部５に出力する。なお、図１に示すように、スイッチ素子群３の出力端であるＡ点とＧＮＤ間に抵抗Ｒ３を挿入するようにしてもよい。また、この抵抗Ｒ３を、バンドパスフィルタ部４に含めるようにしてもよい。
高周波アンプ部５は、バンドパスフィルタ部４からの出力を入力とし、入力された信号を増幅させる。高周波アンプ部５は、増幅させた信号をチューナ部６に出力する。
【００１５】
チューナ部６は、高周波アンプ部５からの出力を入力とし、入力された信号に対して、所定のＣＨの信号（映像信号、音声信号、付加情報に関する信号等）が受信できるようにチューナ処理（中間周波数の信号への変換処理、復調処理、誤り訂正処理等）を実行する。
また、チューナ部は、高周波アンプ部５から出力される信号の出力レベルを測定し、測定した高周波アンプ部５から出力される信号の出力レベルを示す情報をレベル検出部７に出力する。なお、チューナ部は、高周波アンプ部５から出力される信号の出力レベルを測定し、測定した高周波アンプ部５から出力される信号の出力レベルから、高周波アンプ部５に入力されている信号レベルを推定し、高周波アンプ部５に入力されている信号レベルを示す情報をレベル検出部７に出力するようにしてもよい。また、チューナ部６は、高周波アンプ部５に入力されている信号のＣ／Ｎ値に関する情報をレベル検出部７に出力するようにしてもよい。
【００１６】
レベル検出部７は、チューナ部６により測定された高周波アンプ部５から出力される信号の出力レベル（このレベルを「Ｂ１」とする。）を示す情報を入力とする。レベル検出部７は、高周波アンプ部５から出力される信号の出力レベルＢ１と、所定のしきい値ｔｈとを比較し、高周波アンプ部５に、高周波アンプ部５の入力ダイナミックレンジを超えるレベルの信号が入力されている状態であるか否かを検出する。そして、レベル検出部７は、高周波アンプ部５に、高周波アンプ部５の入力ダイナミックレンジを超えるレベルの信号が入力されている状態であることを検出した場合、制御部８に対して、受信感度設定処理（後述）を実行させるためのトリガー信号を出力する。また、レベル検出部７は、高周波アンプ部５から出力される信号の出力レベルＢ１と、所定のしきい値ｔｈとの比較結果（例えば、Ｂ１とｔｈの差分値）を制御部８に出力する。
【００１７】
制御部８は、レベル検出部７からの出力（トリガー信号および比較結果）を入力とする。制御部８は、レベル検出部７からトリガー信号が入力された場合、受信感度設定処理（後述）を実行する。
＜１．２：アンテナ受信制御装置の動作＞
以上のように構成されたアンテナ受信制御装置１００の動作について、以下、説明する。
アンテナ受信制御装置１００は、アンテナ１とスイッチ群３でＯＮとなっているコイル群２のコイルとにより決定されるアンテナ利得で放送波を受信する。そして、受信した信号（放送波に相当する信号）は、バンドパスフィルタ部４に入力される。
バンドパスフィルタ部４に入力された信号は、バンドパスフィルタ部４を通過することにより、その信号帯域が放送帯域のみとなる。
【００１８】
バンドパスフィルタ部４から出力された信号は、高周波アンプ部５に入力され、所定のゲインにより増幅される。
高周波アンプ部５から出力された信号は、チューナ部６に入力される。チューナ部６では、入力信号を用いて、所定のＣＨの信号（映像信号、音声信号、付加情報に関する信号等）が受信できるようにチューナ処理（中間周波数の信号への変換処理、復調処理、誤り訂正処理等）を実行する。
また、チューナ部は、高周波アンプ部５から出力される信号の出力レベルを測定し、測定した高周波アンプ部５から出力される信号の出力レベルを示す情報をレベル検出部７に出力する。なお、チューナ部は、高周波アンプ部５から出力される信号の出力レベルを測定し、測定した高周波アンプ部５から出力される信号の出力レベルから、高周波アンプ部５に入力されている信号レベルを推定し、高周波アンプ部５に入力されている信号レベルを示す情報をレベル検出部７に出力するようにしてもよい。また、チューナ部６は、高周波アンプ部５に入力されている信号のＣ／Ｎ値に関する情報をレベル検出部７に出力するようにしてもよい。
【００１９】
レベル検出部７では、チューナ部６により測定された高周波アンプ部５から出力される信号の出力レベルＢ１を示す情報に基づいて、以下の（１）〜（３）の処理を実行する。
（１）レベル検出部７において、所定のしきい値ｔｈを、高周波アンプ部５の入力ダイナミックレンジの上限に相当する値に設定する。ここで、所定のしきい値ｔｈは、高周波アンプ部５の特性により決定される値であるので、高周波アンプ部５の入力ダイナミックレンジの上限に相当する値に予め設定しておくことが好ましい。
（２）レベル検出部７は、レベルＢ１としきい値ｔｈとの比較を行う。例えば、
（差分値）＝（しきい値ｔｈ）−（レベルＢ１）
として、差分値を求める。
（３）（差分値）＜０であれば、レベル検出部７は、高周波アンプ部５に、高周波アンプ部５の入力ダイナミックレンジを超えるレベルの信号が入力されている状態であると判断し、制御部８に対して、受信感度設定処理を実行させるためのトリガー信号を出力する。一方、（差分値）≧０であれば、高周波アンプ部５に、高周波アンプ部５の入力ダイナミックレンジを超えていないレベルの信号が入力されている状態であると判断する。
【００２０】
レベル検出部７は、以上のようにして取得した検出結果（比較結果）（例えば、差分値）を、制御部８に出力する。
なお、上記（３）の処理において、レベル検出部７は、チューナ部６が取得したＣ／Ｎ値に基づいて、制御部８に対して、受信感度設定処理を実行させるためのトリガー信号を出力するようにしてもよい。具体的には、レベル検出部７は、Ｃ／Ｎ値が所定のしきい値ｔｈ２より小さい場合、アンテナ受信制御装置１００が受信感度を落としすぎていると判断し、制御部８に対して、受信感度設定処理を実行させるためのトリガー信号を出力する。ここで、所定のしきい値ｔｈ２は、アンテナ受信制御装置１００において、安定した復調信号（例えば、安定した映像）を取得することができるレベルに相当する値に設定することが好ましい。
【００２１】
制御部８では、レベル検出部７からトリガー信号が入力された場合、受信感度設定処理を実行する。
以下、アンテナ利得および受信感度設定処理について、説明する。
（１．２．１：アンテナ利得）
まず、アンテナ１、コイル群２およびスイッチ素子群３によるアンテナ利得について、説明する。
図２は、コイルＬ１〜Ｌ３の接続関係を変更させた場合の受信周波数−アンテナ利得特性を示すグラフである。図２のグラフにおいて、横軸は受信周波数であり、縦軸はアンテナ利得である。
図２において、曲線１は、アンテナ受信制御装置１００において、スイッチ素子Ｑ１をＯＦＦ、スイッチ素子Ｑ２をＯＦＦ、スイッチ素子Ｑ３をＯＮにしたとき（この状態を「スイッチ状態１」ということがある。）の受信周波数−アンテナ利得特性を示す曲線である。
【００２２】
曲線２は、アンテナ受信制御装置１００において、スイッチ素子Ｑ１をＯＦＦ、スイッチ素子Ｑ２をＯＮ、スイッチ素子Ｑ３をＯＦＦにしたとき（この状態を「スイッチ状態２」ということがある。）の受信周波数−アンテナ利得特性を示す曲線である。
曲線３は、アンテナ受信制御装置１００において、スイッチ素子Ｑ１をＯＮ、スイッチ素子Ｑ２をＯＦＦ、スイッチ素子Ｑ３をＯＦＦにしたとき（この状態を「スイッチ状態３」ということがある。）の受信周波数−アンテナ利得特性を示す曲線である。
曲線４は、アンテナ受信制御装置１００において、スイッチ素子Ｑ１をＯＮ、スイッチ素子Ｑ２をＯＮ、スイッチ素子Ｑ３をＯＮにしたとき（この状態を「スイッチ状態４」ということがある。）の受信周波数−アンテナ利得特性を示す曲線である。
図２に示すように、アンテナ受信制御装置１００において、曲線１の最大値が受信周波数の最小周波数（放送波により決定される受信周波数の最小周波数）付近となり、かつ、曲線４の最大値が受信周波数の最大周波数（放送波により決定される受信周波数の最大周波数）付近となるように設定するのが好ましい。このように設定することで、アンテナ受信制御装置１００では、受信周波数の帯域において、段階的に受信感度を変更することが容易となるからである。
【００２３】
（１．２．２：受信感度設定処理）
アンテナ受信制御装置１００が、例えば、強電界環境下に移動され、高周波アンプ部５の入力ダイナミックレンジを超える信号が、高周波アンプ部５に入力されている状態となった場合、制御部８には、レベル検出部７からトリガー信号が入力される。
制御部８は、レベル検出部７からトリガー信号が入力された場合、以下の処理を実行することで、受信感度設定処理を実行する。受信感度設定処理について、図３を用いて説明する。
図３（ａ）は、スイッチ素子群３の各スイッチ素子Ｑ１〜Ｑ３のＯＮ／ＯＦＦ状態の状態遷移図の一例を示す図である。
図３（ｂ）は、受信感度設定処理の処理フローを示す図である。
（Ｓ１０１）：
Ｓ１０１において、制御部８は、スイッチ状態４、すなわち、スイッチ素子Ｑ１からＱ３を全てＯＮにし、その状態で、レベル検出部７は、チューナ部６から取得したレベルＢ１としきい値ｔｈとの比較を行う。つまり、差分値ｄｉｆｆ［４］を、
（差分値ｄｉｆｆ［４］）＝（しきい値ｔｈ）−（レベルＢ１［４］）
により求める。そして、制御部８は、求めた差分値を保持する。なお、ｄｉｆｆ［Ｎ］は、スイッチ状態Ｎ（Ｎ＝１〜４）のときの差分値であり、Ｂ１［Ｎ］は、スイッチ状態Ｎ（Ｎ＝１〜４）のときのチューナ部６により測定された高周波アンプ部５から出力される信号の出力レベルＢ１の値である。
【００２４】
次に、制御部８は、スイッチ状態３、すなわち、スイッチ素子Ｑ１をＯＮ、スイッチ素子Ｑ２をＯＦＦ、スイッチ素子Ｑ３をＯＦＦにし、その状態で、レベル検出部７は、チューナ部６から取得したレベルＢ１としきい値ｔｈとの比較を行う。つまり、差分値ｄｉｆｆ［３］を、
（差分値ｄｉｆｆ［３］）＝（しきい値ｔｈ）−（レベルＢ１［３］）
により求める。そして、制御部８は、求めた差分値を保持する。
次に、制御部８は、スイッチ状態２、すなわち、スイッチ素子Ｑ１をＯＦＦ、スイッチ素子Ｑ２をＯＮ、スイッチ素子Ｑ３をＯＦＦにし、その状態で、レベル検出部７は、チューナ部６から取得したレベルＢ１としきい値ｔｈとの比較を行う。つまり、差分値ｄｉｆｆ［２］を、
（差分値ｄｉｆｆ［２］）＝（しきい値ｔｈ）−（レベルＢ１［２］）
により求める。そして、制御部８は、求めた差分値を保持する。
【００２５】
次に、制御部８は、スイッチ状態１、すなわち、スイッチ素子Ｑ１をＯＦＦ、スイッチ素子Ｑ２をＯＦＦ、スイッチ素子Ｑ３をＯＮにし、その状態で、レベル検出部７は、チューナ部６から取得したレベルＢ１としきい値ｔｈとの比較を行う。つまり、差分値ｄｉｆｆ［１］を、
（差分値ｄｉｆｆ［１］）＝（しきい値ｔｈ）−（レベルＢ１［１］）
により求める。そして、制御部８は、求めた差分値を保持する。
（Ｓ１０２）：
Ｓ１０２において、制御部８は、Ｓ１０１で求めたｄｉｆｆ［１］〜ｄｉｆｆ［４］の中で、ｄｉｆｆ［Ｎ］≧０である（つまり、レベルＢ１［Ｎ］がしきい値ｔｈを超えていない）もののうち、最大値をとるものを検出する。そして、検出した最大値をとるｄｉｆｆ［Ｎ］に相当するスイッチ状態を「最大感度スイッチ状態」とする。以下では、説明便宜のため、「スイッチ状態３」が「最大感度スイッチ状態」であるとして、以下、説明する。
（Ｓ１０３）：
Ｓ１０３において、制御部８は、「最大感度スイッチ状態」のスイッチ状態に設定する。「スイッチ状態３」が「最大感度スイッチ状態」である場合、制御部８は、スイッチ状態３の状態になるように、スイッチ素子Ｑ１をＯＮ、スイッチ素子Ｑ２をＯＦＦ、スイッチ素子Ｑ３をＯＦＦに設定する。
【００２６】
以上により、アンテナ受信制御装置１００において、受信感度設定処理が実行される。
なお、アンテナ受信制御装置１００において、スイッチ状態１〜４の状態遷移の方法は、上記に限定されることはなく、図３（ａ）に示した以外の順番により、スイッチ状態１〜４の状態を遷移させるようにしてもよい。また、スイッチ状態１〜４の状態を遷移させる回数は１回に限定されることはなく、スイッチ状態１〜４の状態遷移を数回繰り返し、それぞれのスイッチ状態における平均値により、最適なスイッチ状態を判断するようにしてもよい。
以上のように、アンテナ受信制御装置１００は、高周波アンプ部５に入力されている信号レベルが、高周波アンプ部５の入力ダイナミックレンジを超えている場合、受信感度設定処理を実行し、複数のスイッチ状態を遷移させることにより、受信状態を段階的に変化させることができる。そして、アンテナ受信制御装置１００は、段階的に変化させた各受信状態での受信信号のレベルを検出することで、最適な受信状態を決定し、決定した最適な受信状態（閾値以下かつ最大の受信感度となる受信状態）により、放送波を受信することができる。その結果、アンテナ受信制御装置１００は、常に、最良な受信感度により放送波を受信することができる。特に、アンテナ受信制御装置１００が強電界の環境下に置かれた場合、従来技術のように、極端に受信レベルを落とすことはなく、段階的に受信レベルを落とすように制御することができる。したがって、アンテナ受信制御装置１００により、強電界の環境下であっても、常に、最良な受信状態により放送波を受信することができる。
【００２７】
［他の実施形態］
上記実施形態において、アンテナ受信制御装置は、スイッチ状態１〜４の４通りをとるものとして説明したが、これに限定されることはない。例えば、スイッチ状態１〜４に、以下のスイッチ状態５〜７を追加してもよい。つまり、
（スイッチ状態５）：スイッチ素子Ｑ５をＯＮ、スイッチ素子Ｑ６をＯＮ、スイッチ素子Ｑ７をＯＦＦに設定した状態、
（スイッチ状態６）：スイッチ素子Ｑ５をＯＦＦ、スイッチ素子Ｑ６をＯＮ、スイッチ素子Ｑ７をＯＮに設定した状態、
（スイッチ状態７）：スイッチ素子Ｑ５をＯＮ、スイッチ素子Ｑ６をＯＦＦ、スイッチ素子Ｑ７をＯＮに設定した状態、
の合計７通りのスイッチ状態により、上記受信感度設定処理を行うことで、アンテナ受信制御装置において、さらに細かく受信感度を最良にする制御を行うことができる。
【００２８】
また、アンテナ受信制御装置において、チューナ部６から出力されるＣ／Ｎ値が所定のしきい値以下である場合、レベル検出部７から制御部８にトリガー信号を出し、上記受信感度設定処理を行うようにしてもよい。チューナ部６から出力されるＣ／Ｎ値が所定のしきい値以下である場合、アンテナ受信制御装置において、受信感度を落とし過ぎている可能性があるため、上記のように、Ｃ／Ｎ値に基づいて、トリガー信号を出し、上記受信感度設定処理を行うことで、さらに安定した受信状態で、アンテナ受信制御装置は、放送波を受信することができる。
また、上記実施形態では、高周波アンプ部５の入力ダイナミックレンジを基準として、受信感度設定処理を行う場合について説明したが、これに限定されることはなく、アンテナ受信制御装置は、例えば、チューナ部６の入力ダイナミックレンジを基準として、受信感度設定処理を行うものであってもよい。
【００２９】
また、アンテナ受信制御装置において、高周波アンプ部５またはチューナ部６の入力ダイナミックレンジを下回る信号レベルの信号が高周波アンプ部５またはチューナ部６に入力されていることが検出された場合、レベル検出部７がトリガー信号を出力し、受信感度設定処理を行うようにしてもよい。
また、上記実施形態で説明したアンテナ受信制御装置において、各ブロックは、ＬＳＩなどの半導体装置により個別に１チップ化されても良いし、一部又は全部を含むように１チップ化されても良い。
なお、ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【００３０】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてあり得る。
また、上記実施形態の各処理をハードウェアにより実現してもよいし、ソフトウェアにより実現してもよい。さらに、ソフトウェアおよびハードウェアの混在処理により実現しても良い。
なお、本発明の具体的な構成は、前述の実施形態に限られるものではなく、発明の要旨を逸脱しない範囲で種々の変更および修正が可能である。
【産業上の利用可能性】
【００３１】
本発明に係るアンテナ受信制御装置は、どのような電界強度の環境下であっても最適な受信状態により放送波を受信することできるので、アンテナ・映像機器関連産業分野において、有用であり、本発明に係るアンテナ受信制御装置は、当該分野において実施することができる。
【符号の説明】
【００３２】
１  アンテナ
２  コイル群
３  スイッチ素子群
４  バンドパスフィルタ部
５  高周波アンプ部
６  チューナ部
７  レベル検出部
８  制御部
【図１】
2011101092.tif 000003
【図２】
2011101092.tif 000004
【図３】
2011101092.tif 000005
【図４】
2011101092.tif 000006